(57)【要約】【課題】２対のカード搬送ローラ及び２つのシャッタを効果的に配置して、カード処理機能を確実に発揮する。【解決手段】カード処理装置は、カードを搬送する２対のローラと、カード挿入口付近に設けられた第１のシャッタと、前記第１のシャッタよりカード処理装置の内部側に設けられた第２のシャッタと、を備え、前記第１のシャッタ及び前記第２のシャッタは、前記カードが通過する際の押圧力により開状態となり、前記２対のローラによる該カードの移動に応じて開状態から閉状態または閉状態から開状態に状態を遷移させる。
2015181875.tif 000002
【特許請求の範囲】
【請求項１】
カードを搬送する２対のローラと、
カード挿入口付近に設けられた第１のシャッタと、
前記第１のシャッタよりカード処理装置の内部側に設けられた第２のシャッタと、
を備え、
前記第１のシャッタ及び前記第２のシャッタは、前記カードが通過する際の押圧力により開状態となり、前記２対のローラによる該カードの移動に応じて開状態から閉状態または閉状態から開状態に状態を遷移させる
ことを特徴とする、カード処理装置。
【請求項２】
前記カードが挿入される前は、前記第１シャッタを開状態、前記第２シャッタを閉状態とし、挿入された該カードが正当なカードである場合には、前記第２シャッタを開状態とし、
前記カードが前記２対のローラにより前記カード処理装置の内部に挿入されて該カードのリードライト処理を実行する場合には、前記第１シャッタを閉状態とし、
前記カードが前記２対のローラにより前記カード挿入口付近に移動して該カードの磁気データをリードする場合には、前記第１シャッタを閉状態のまま前記第２シャッタを開状態とする、
ことを特徴とする、請求項１に記載のカード処理装置。
【請求項３】
前記第１のシャッタの下方に位置する第１のシャッタストッパと、
前記第２のシャッタの下方に位置する第２のシャッタストッパと、
を備え、
前記第１のシャッタストッパ及び前記第２のシャッタストッパは、アクチュエータの制御により上下に移動して、前記第１のシャッタ及び前記第２のシャッタの動作を規制する、
ことを特徴とする、請求項１に記載のカード処理装置。
【請求項４】
前記第１のシャッタストッパ及び前記第２のシャッタストッパが上部に移動した場合には、前記第１のシャッタ及び前記第２のシャッタを閉状態として開状態の動作を規制し、
前記前記第１のシャッタストッパ及び前記第２のシャッタストッパが下部に移動した場合には、前記第１のシャッタ及び前記第２のシャッタの開状態の動作を規制しない
ことを特徴とする、請求項３に記載のカード処理装置。
【請求項５】
前記第１のシャッタストッパ及び前記第２のシャッタストッパが下部に移動した場合には、前記カードの押圧力により前記第１のシャッタまたは前記第２のシャッタが開状態となる
ことを特徴とする、請求項４に記載のカード処理装置。
【請求項６】
前記第１のシャッタ及び前記第２のシャッタの下方に１つのシャッタストッパを設け、
前記シャッタストッパは、１つのアクチュエータの制御により左右に移動して、前記第１のシャッタ及び前記第２のシャッタの動作を規制する
ことを特徴とする、請求項１に記載のカード処理装置。
【請求項７】
前記シャッタストッパは、
両端部に前記第１のシャッタ及び前記第２のシャッタの下部と接する突起部を有し、
該突起部が前記第１のシャッタまたは前記第２のシャッタの下部に接する位置に移動した場合に、前記第１のシャッタまたは前記第２のシャッタを閉状態として開状態の動作を規制する、
ことを特徴とする、請求項６に記載のカード処理装置。
【請求項８】
前記第２のシャッタの一部を、前記第２のシャッタの閉状態から開状態への動作とは別に動作する板バネとし、
カード挿入口から糸状のカードトラップが挿入された場合に、前記第２のシャッタの動作と前記板バネの動作のずれを検知する
ことを特徴とする、請求項１に記載のカード処理装置。
【発明の詳細な説明】
【技術分野】
【０００１】
本発明は、カード処理装置に関し、シャッタ構造を有するカード処理装置に適用して好適なるものである。
【背景技術】
【０００２】
磁気カードやＩＣカードなどを扱うカード処理装置において、カードの挿入を許可したり禁止したりするためのシャッタが、カード処理装置のカード挿入口部に配置されている。また、カード処理装置のシャッタは、カード処理装置内でカードを処理している間に、カード挿入口から別のカードや異物などを挿入されることを防ぐ機能も有している。【０００３】
また、カード処理装置は、カードを搬送するために複数のローラを備えている。図１６に示すように、従来のカード処理装置には、少なくとも３対のドライブローラとアイドラローラが備えられている。一般的に、カードの磁気を読み取る磁気ヘッド近傍に第２ローラが配置され、第２ローラの前方に第１ローラ、第２ローラの後方に第３ローラが配置される。【０００４】
また、カード処理装置では、磁気カードのリード及びライトを正常に行うために、カードの搬送速度を一定に保つ必要がある。図１６に示す従来のカード処理装置では、カードの搬送速度を一定に保つために、第１ローラと第２ローラの間隔及び、第２ローラと第３ローラの間隔は、カード全長（約８６ｍｍ）よりも少し狭い距離に設定される。また、カード処理装置のシャッタ機構は、第１ローラの前に配置される。これらのカード処理装置の構成上の制約から、シャッタ機構を除くカード処理装置の全長はカードの全長の２倍近く又はそれ以上の長さが必要となる。【０００５】
また、カードを処理するための処理時間を短縮する構成が一般的であるが、カードの搬送形態にも一定の制約がある。例えば、カード返却方向でのリード処理を実現するために、カードがカード処理装置内のカード処理機の後方からカード挿入口方向に搬送され、カードの後端が磁気ヘッドの上に達するまでにも一定の制約がある。すなわち、カードを返却する際には、カード前端が閉じているシャッタに接触して止まるか、カードの搬送速度が急激に変化することがあってはならないという制約がある。【０００６】
また、ＩＣカードを処理する場合には、ＩＣカードがＩＣ接点を押下した状態で、次のカード又は異物をカード挿入口から挿入されて処理中のＩＣカードが動いて、ＩＣカード処理が妨げられるのを防ぐ必要がある。このため、ＩＣカードがＩＣ接点を押下した状態で、ＩＣカードの後端がシャッタの内側にあることが必要となる。
【発明の概要】
【発明が解決しようとする課題】
【０００７】
また、カードを処理するための処理時間を短縮する構成が一般的であるが、カードの搬送形態にも一定の制約がある。具体的には、カード返却方向でのリード処理を実現するため、カードがカード処理装置内のカード処理機の後方からカード挿入口方向に搬送され、カードの後端が磁気ヘッドの上に達するまでにカード前端が閉じているシャッタに接触して止まるか、カードの搬送速度が急激に変化することがあってはならないという制約がある。【０００８】
また、ＩＣカードを処理する場合には、ＩＣカードがＩＣ接点を押下した状態で、次のカード又は異物をカード挿入口から挿入されて、処理中のＩＣカードが動き、結果として、ＩＣカード処理が妨げられるのを防がなければならに。このために、ＩＣ接点をカード押下した状態で、ＩＣカードの後端がシャッタの内側にあることが必要となる。【０００９】
さらに、上記制約を実現しつつ、カード処理装置の構成を簡素化したり小型化するなどして、カード処理装置全体の管理を容易にすることが求められている。【００１０】
本発明は以上の点を考慮してなされたもので、２対のカード搬送ローラ及び２つのシャッタを配置してカード処理装置を小型化しつつ、カード処理機能を確実に発揮することが可能なカード処理装置を提案しようとするものである。
【課題を解決するための手段】
【００１１】
かかる課題を解決するために本発明においては、カードを搬送する２対のローラと、カード挿入口付近に設けられた第１のシャッタと、前記第１のシャッタよりカード処理装置の内部側に設けられた第２のシャッタと、を備え、前記第１のシャッタ及び前記第２のシャッタは、前記カードが通過する際の押圧力により開状態となり、前記２対のローラによる該カードの移動に応じて開状態から閉状態または閉状態から開状態に状態を遷移させることを特徴とする、カード処理装置装置が提供される。【００１２】
具体的に、状態の遷移は、前記カードが挿入される前は、前記第１シャッタを開状態、前記第２シャッタを閉状態とし、挿入された該カードが正当なカードである場合には、前記第２シャッタを開状態とし、前記カードが前記２対のローラにより前記カード処理装置の内部に挿入されて該カードのリードライト処理を実行する場合には、前記第１シャッタを閉状態とし、前記カードが前記２対のローラにより前記カード挿入口付近に移動して該カードの磁気データをリードする場合には、前記第１シャッタを閉状態のまま前記第２シャッタを開状態とする。
【発明の効果】
【００１３】
本発明によれば、カード処理の機能を確実に発揮するように、２つのカード搬送ローラ及び２つのシャッタを配置して、処理装置の全長を短くして処理装置全体のコストを削減することができる。
【図面の簡単な説明】
【００１４】
【図１】本発明の第１の実施形態に係るカード処理装置の正面図である。
【図２】同実施形態にかかるカード処理装置における２対のシャッタの状態遷移を示す説明図である。
【図３】同実施形態にかかるカード処理装置における２対のシャッタの状態遷移を示す説明図である。
【図４】同実施形態にかかるカード処理装置における２対のシャッタの状態遷移を示す説明図である。
【図５】同実施形態にかかるカード処理装置における２対のシャッタの状態遷移を示す説明図である。
【図６】同実施形態にかかるカード処理装置における２対のシャッタの状態遷移を示す説明図である。
【図７】本発明の第２の実施形態に係るカード処理装置における２対のシャッタの状態遷移を示す説明図である。
【図８】同実施形態にかかるカード処理装置における２対のシャッタの状態遷移を示す説明図である。
【図９】同実施形態にかかるカード処理装置における２対のシャッタの状態遷移を示す説明図である。
【図１０】同実施形態にかかるカード処理装置における２対のシャッタの状態遷移を示す説明図である。
【図１１】同実施形態にかかるカード処理装置における２対のシャッタの状態遷移を示す説明図である。
【図１２】同実施形態にかかるカード処理装置における２対のシャッタの状態遷移を示す説明図である。
【図１３】本発明の第３の実施形態に係るカード処理装置における２対のシャッタの構成を説明する説明図である。
【図１４】同実施形態にかかるカード処理装置における２対のシャッタの状態遷移を示す説明図である。
【図１５】同実施形態にかかる第２シャッタの分解斜視図である。
【図１６】従来のカード処理装置の構成図である。
【発明を実施するための形態】
【００１５】
以下図面について、本発明の一実施の形態を詳述する。
（１）第１の実施の形態
（１−１）本実施の形態の概要
本実施の形態にかかるカード処理装置は、磁気カード及びＩＣカードの処理装置である。カード処理装置には、カード搬送ローラを２対配置し、シャッタを２枚構成としている。シャッタを２枚構成としているカード処理装置は、一のシャッタでカードが挿入されていない状態（カード無しの状態）でカード挿入を規制し、他のシャッタでカードが挿入されている状態（カード処理中）の次のカード又は異物の挿入を規制している。また、カード処理中に、カード後端のエッジがカード処理装置の内側のブレードに当たっても、カード処理を妨げない構成としている。以下、カード処理装置２を例示してカード処理装置の構成及び機能を詳細に説明する。
【００１６】
（１−２）従来のカード処理装置の構成
本実施形態のカード処理装置の構成を説明する前に、図１６を参照して、一般的な構成を有する従来の磁気カード及びＩＣカード処理装置について説明する。
【００１７】
図１６は、従来のカード処理装置の正面図である。図１６に示すように、カード１（図中のカード１ａ）は、カード挿入口３から挿入される。挿入されたカード１（図中のカード１ｂ）が磁気ストライプ検知ヘッド４の上を通過すると、カード１の磁気データの信号が検出される。そして、カード１（図中のカード１ｃ）の前端がシャッタ５に達する前に、シャッタ５は、ソレノイドなどのアクチュエータで開状態にされる。
【００１８】
開状態にされたシャッタ５をから挿入されたカード１は、第１のカード搬送ローラ６ａに挟持されて搬送される。カード１（図中のカード１ｄ）の前端が、リード・ライト用磁気ヘッド７に達すると、シャッタ５は、アクチュエータで閉状態にされる。シャッタ５が閉状態となることにより、次のカードの挿入や、異物の挿入が規制される。
【００１９】
また、カードに対する処理時間を短縮するために、磁気カードのリード処理はカード挿入方向及び、カード返却方向の両方で実施する構成が一般的である。そこで、カード返却方向でのリード処理を実現するために、カード１が、カード処理機の後方からカード挿入口方向に搬送されて、カード後端が磁気ヘッドの上に達するまでに、カード１の前端が閉じられたシャッタに接触して止まるか、カードの搬送速度が急激に変化することがあってはならないという制約が設けられている。
【００２０】
また、ＩＣカードを処理する場合には、カード１がＩＣ接点８を押下した状態で、カード挿入口３から次のカードが挿入されたり異物が挿入されることが考えられる。この場合、処理中のＩＣカードが別のカードや異物により動かされ、ＩＣカード処理が妨げられてしまう。これを防ぐために、カード１がＩＣ接点８を押下した状態で、ＩＣカードの後端がシャッタ５の内側に位置している必要がある。
【００２１】
そこで、本実施の形態では、カード搬送ローラを２対にして第１ローラと第２ローラとの間に磁気ヘッドを配置し、第１ローラの前方に第１シャッタと第２シャッタを配置する構成とした。また、第１シャッタ及び第２シャッタは、それぞれその開方向の動きを規制するストッパを有しているため、必要に応じて各シャッタを独立して動作させることができる。また第１シャッタび第２シャッタに対してストッパの規制が無い場合には、カードの挿入方向及び返却方向の動きによって自在に開方向に動く構成としている。このように、２つのカード搬送ローラ、磁気ヘッド及び２つのシャッタを効果的に配置して、カード処理装置を小型化としつつ、カード処理の機能を発揮することを可能としている。
【００２２】
（１−３）カード処理装置の構成
図１は、本実施の形態にかかるカード処理装置２の正面図である。カード１、カード処理装置２、カード挿入口３及び磁気ストライプ検知ヘッド４は、図１６の構成と同様である。
【００２３】
図１に示すように、カード１は、カード搬送ローラ６ａ及び６ｂの２対のローラで搬送される。カード搬送ローラ６ａと６ｂとの軸間距離Ｌは、カード１の全長（約８６ｍｍ）よりも少し狭い距離に設定されている。また、リード・ライト用磁気ヘッド７及びＩＣ接点８は、カード搬送ローラ６ａと６ｂとの間に配置される。
【００２４】
カード搬送ローラ６ａの前方に、第１シャッタ９及び第２シャッタ１２が配置される。磁気ストライプ検知ヘッド４は、第１シャッタ９と第２シャッタ１２との間に配置される。そして、第１シャッタ９及び第２シャッタ１２は、各シャッタの開方向の動きを規制する第１シャッタストッパ１０及び第２シャッタストッパ１３を有する。
【００２５】
第１シャッタストッパ１０及び第２シャッタストッパ１３は、ソレノイドなどのアクチュエータ（図示せず）によって独立に動かすことができる。第１シャッタストッパ１０及び第２シャッタストッパ１３は、それぞれ、第１シャッタ９及び第２シャッタ１２の下方に位置し、アクチュエータによって上下に移動する。第１シャッタストッパ１０及び第２シャッタストッパ１３が上部に移動する場合、すなわち、第１シャッタ９及び第２シャッタ１２に接触する位置にある場合には、第１シャッタ９及び第２シャッタ１２は回転せずに固定される。一方、第１シャッタストッパ１０及び第２シャッタストッパ１３がアクチュエータによって下部に移動すると、第１シャッタ９及び第２シャッタ１２は、それぞれの回転軸を中心にシャッタストッパの位置まで回転可能となる。
【００２６】
第１シャッタ９及び第２シャッタ１２は、それぞれカード１の挿入方向及び返却方向に対して傾斜部を有している。これにより、第１シャッタストッパ１０及び第２シャッタストッパ１３の規制が無い場合、すなわち、第１シャッタストッパ１０及び第２シャッタストッパ１３が下部に移動しているときには、カードの押圧力によって、第１シャッタ９及び第２シャッタ１２が回転軸を中心に回転して、シャッタを開方向に動かすことができる。例えば、カード１がカード挿入口３から挿入されて第１シャッタ９に挿入されたりる場合に、第１シャッタ９が回転軸９ａを中心に反時計回りに回転して、第１シャッタ９が開方向に動く。また、カード１が第２シャッタ１２から返却される場合には、第２シャッタ１２が回転軸１２ａを中心に時計回りに回転して、第２シャッタが開方向に動く。
【００２７】
（１−４）カード処理装置の動作
次に、図２〜図６を参照して、カード１が、カード挿入口３からカード処置装置２の奥行方向に移動する場合のカード処理装置２の各部の動作について説明する。
【００２８】
図２は、カード１がエンドユーザによってカード挿入口３から挿入された状態を示す。カード１が挿入される前は、第１シャッタ９の下方向の動きを規制している第１シャッタストッパ１０は、第１シャッタ９の下方に位置している。上記したように、第１シャッタストッパ１０は、アクチュエータによって第１シャッタ９の下方で上下に移動する。カード１がカード挿入口３から挿入されると、第１シャッタストッパ１０はアクチュエータによって下部に移動する。したがって、カード挿入口３からカード１が挿入されると、第１シャッタ９は、カード１の押圧力によって、その回転軸９ａを中心に時計回りに回転して、カード１の挿入を可能とする。
【００２９】
カード１の磁気ストライプにデータが保持されている場合は、磁気ストライプ検知ヘッド４が磁気ストライプのデータを読み取って、所定の信号を検出する。そして、検出した信号からカード１が正しいカードであると判定した場合には、図３に示すように、第２シャッタストッパ１３をアクチュエータによって下方に下げ、カード搬送ローラ６ａの方向にカード１の挿入を許可する。第１シャッタ９と同様に、カード１が第１シャッタ９の方向から挿入されると、第２シャッタ１２は、カード１の押圧力によって、その回転軸１２ａを中心に反時回りに回転して、カード１の挿入を可能とする。
【００３０】
図４は、カード１がカード搬送ローラ６ａの位置に到達して、カード搬送ローラ６ａによってＩＣ接点８の押下位置に達した状態を示す。このとき、第１シャッタストッパ１０を上部に移動して、第１シャッタ９を閉方向に動かす。このように、第１シャッタ９の開方向への動きを規制することにより、次のカードが挿入されたり、異物が挿入されたりすることを防止する。
【００３１】
図５は、カード１の前端がリード・ライト用磁気ヘッド７に達して、磁気データのリード又はライト処理を開始する状態を示す。第１シャッタストッパ１０は、上部に移動したまま、第１シャッタ９が挿入口３に対して閉じた状態を維持している。このように、第１シャッタ９の開方向への動きを規制して、引き続き次のカードの挿入や異物の挿入を防止している。
【００３２】
図６は、カード１の後端がリード・ライト用磁気ヘッド７に達して、磁気データのリード又はライト処理が終了した状態を示す。カード返却方向で磁気データのリード処理を実施する場合は、カード１が図６の状態から図５の状態に遷移する。このとき、第２シャッタストッパ１３は、第２シャッタ１２の下部に位置している。このため、カード１が返却方向に移動すると、第２シャッタ１２は、カード１の押圧力によって、その回転軸１２ａを中心に反時計回りに回転して開方向に稼働する。
【００３３】
さらに、カード１をストッパに返却する場合は、第１シャッタストッパ１０を下部に移動して、第１シャッタ９を開方向に回転可能とする。そして、カード１をローラ６ａ及び６ｂで返却方向に搬送すると、カード１の押圧力によって第１シャッタ９がその回転軸９ａを中心に時計回りに回転して開方向に稼働する。
【００３４】
（１−５）本実施の形態の効果
上記したように、本実施の形態では、カード搬送ローラを第１ローラ６ａと第２ローラ６ｂの２対にして、第１ローラ６ａと第２ローラ６ｂとの間に磁気ヘッド７を配置し、第１ローラ６ａの前方に第１シャッタ９及び第２シャッタ１２を配置するという構成にしている。このように、カード処理の機能を確実に発揮するように、２つのカード搬送ローラ及び２つのシャッタを配置することにより、処理装置の全長を短くして処理装置全体のコストを削減することができる。
【００３５】
（２）第２の実施の形態
本実施の形態は、カード処理装置２に備えられた２つのシャッタの動作を１つのソレノイドのみで制御している点で第１の実施の形態と異なる構成となっている。以下、図７〜図１２を参照して詳細に説明する。
【００３６】
（２−１）カード処理装置の構成
以下では、第１の実施形態と異なる２つのシャッタの構成及び動作について詳細に説明し、第１の実施の形態と同様の構成については詳細な説明を省略する。
【００３７】
図７に示すように、カード処理装置２の第１シャッタ９及び第２シャッタ１２の動作は、１つのソレノイド１６により制御されている。また、第１の実施の形態では、２つのシャッタストッパにより第１シャッタ９及び第２シャッタ１２の動作を規制していたが、本実施の形態では、１つのシャッタストッパ１５により第１シャッタ９及び第２シャッタ１２の動きを規制している。
【００３８】
図７に示すように、シャッタストッパ１５の下部にはリンクバネ１９及びストッパ戻しバネ２０が備えられ、リンクバネ１９及びストッパ戻しバネ２０を介してソレノイド１５の力がシャッタストッパ１５に伝えられる。ソレノイド１６のソレノイド戻しバネ１８が移動すると、ソレノイド戻しバネ１８とリンクバネ１９を接続しているリンク１７が移動して、リンクバネ１９及びストッパ戻しバネ２０の動きに応じてシャッタストッパ１５が左右に移動する。
【００３９】
（２−２）カード処理装置の動作
次に、図７〜図１２を参照して、カード１が、カード挿入口３からカード処置装置２の奥行方向に移動する場合のカード処理装置２の各部の動作について説明する。
【００４０】
図７は、カード１がエンドユーザによってカード挿入口３から挿入された状態を示す。カード１が挿入される前、すなわち、カード１の挿入待ちの状態の場合には、ソレノイド１６に電圧を印加していない。ソレノイド１６に電圧が印加されていない状態では、シャッタストッパ１５は、ストッパ戻しバネ２０によって図７の右方向、すなわち、カード挿入口３の方向に付勢されている。第１シャッタ９は、シャッタストッパ１５の突起部と接していないため、回転軸９ａを中心に時計回りに回転可能な状態である。また、第２シャッタ１２は、シャッタストッパ１５の突起部に接しているため開方向の動きを規制されている。
【００４１】
図７に示すように、カード１がカード挿入口３から挿入されると、第１シャッタ９は、カード１の押圧力によって、その回転軸９ａを中心に時計回りに回転し、カード１の挿入を可能とする。
【００４２】
カード１の磁気ストライプにデータが保持されている場合は、磁気ストライプ検知ヘッド４が磁気ストライプのデータを読み取って、所定の信号を検出する。そして、検出した信号からカード１が正しいカードであると判定した場合には、アクチュエータ１６を動作させて、シャッタストッパ１５をカード１の挿入を許可する位置に移動させる。
【００４３】
図８は、カード１の挿入を許可するために、ソレノイド１６に電圧を印加した状態を示す。シャッタストッパ１５には、リンクバネ１９を介してソレノイド１６の力が伝えられて、図８の左方向に移動する。リンクバネ１９は、ストッパ戻しバネ２０よりも強いバネとしている。図８に示すように、シャッタストッパ１５は、図８の左方向に付勢されているが、第１シャッタ９に接触して止まっている。この状態でさらにカード１が奥に挿入されると、カード搬送ローラ６ａに接して、カード搬送ローラ６ａによってさらに図８の左方向に搬送される。
【００４４】
図９は、カード１がカード搬送ローラ６ａによってカード処理装置２の奥行方向に搬送されて、カード１の後端が第１シャッタ９を超えた状態を示す。第１シャッタ９の突起部をカード１が超えると、第１シャッタ９は、第１シャッタばね１１によって閉方向に移動する。そして、シャッタストッパ１５は、リンクバネ１９によって図９の左方向に付勢されているため、図８の位置から図９の位置まで移動する。そして、シャッタストッパ１５の突起部が第１シャッタ９に接触して、第１シャッタ９の開方向の動きを規制する。このように、第１シャッタ９の開方向への動きを規制することにより、次のカードが挿入されたり、異物が挿入されたりすることを防止する。
【００４５】
図１０は、カード１がさらにカード処理装置２の奥行方向に搬送されて、カード１の後端が第２シャッタ１２を超えた状態を示す。第２シャッタ１２の突起部をカード１が超えると、第２シャッタ１２は、第２シャッタばね１４によって閉方向に移動する。しかし、シャッタストッパ１５は、ソレノイド１６によって図１０の左方向に移動しているため、シャッタストッパ１５の突起部によって第２シャッタ１２の開方向の動きは規制されていない。したがって、再度カード１の後端がカード挿入口３の方向に移動した場合には、第２シャッタ１２は、カード１の押圧力によってその回転軸１２ａを中心に時計回りに回転して開方向に稼働する。
【００４６】
図１１は、カード１がカード挿入口３の方向に搬送されて、カード１の前端が第１シャッタ９を超えた状態を示す。このとき、ソレノイド１６に電圧は印加されていないため、シャッタストッパ１５は、ストッパ戻しバネ２０によって図１１の右方向に付勢されている。そして、シャッタストッパ１５の突起部が第２シャッタ１２に接触して止まっている。このような状態は、エンドユーザのカード抜き取り待ちの状態である。
【００４７】
図１２は、図１１の状態から、エンドユーザによってカード１が抜き取られ始めた状態を示す。カード１の後端が第２シャッタ１２の突起部を通過すると、第２シャッタ１２は、第２シャッタばね１４によって閉方向に移動する。そして、シャッタストッパ１５の突起部が第２シャッタ１２に接触して、第２シャッタ１２の開方向の動きを規制する。このような状態では、第２シャッタ１２を超えてカード１を再度カード処理装置２の奥行方向に挿入することはできないため、返却されたカードをエンドユーザが誤ってカード処理装置２に押し込むことを防止することができる。
【００４８】
（２−３）本実施の形態の効果
本実施の形態では、第１の実施の形態と同様に、カード搬送ローラを２対にして、第１ローラ６ａと第２ローラ６ｂとの間に磁気ヘッド７を配置し、第１ローラの前方に第１シャッタ９及び第２シャッタ１２を配置するという構成にしている。このように、カード処理の機能を確実に発揮するように、２つのカード搬送ローラ及び２つのシャッタを配置して、処理装置の全長を短くして処理装置全体のコストを削減することができる。また、１つのソレノイドで２つのシャッタの動作を制御することができるため、部品点数を少なくして、さらに構成を簡素化することができる。
【００４９】
（３）第３の実施の形態
本実施の形態は、悪意のユーザーがデンタルフロス状の細くかつ頑丈な糸状のカードトラップ２１をカード処理装置２の内部に仕掛けたことを検知するための構造を追加している。以下、図１３〜図１５を参照して詳細に説明する。
【００５０】
本実施の形態のカード処理装置２の構成は、第２の実施の形態のカード処理装置２の構成と異なる構成について詳細に説明し、第２の実施の形態と同様の構成については詳細な説明を省略する。
【００５１】
図１３に示すように、第２シャッタ１２の斜線部１２ｂは、第２シャッタ１２に回転中心を有し、通常は図１３に示す位置に配置されるように板バネ等で付勢されている。図１４に示すように、カードトラップ２１がカード処理装置２の内部に仕掛けられた場合には、斜線部１２ｂがカードトラップ２１に押下されて、図１４に示すように下方向に移動する。このように、斜線部１２ｂが、第２シャッタ１２の正常な動作とは別に動いて、第２シャッタ１２と斜線部１２ｂがずれる。斜線部１２ｂの動きをカード処理装置２に備えられたフォトセンサやマイクロスイッチ（図示せず）などで監視して、第２シャッタ１２と斜線部１２ｂとのずれを検出することにより、カードトラップ２１が仕掛けられたことを検知することができる。
【００５２】
図１５は、図１３に示すカード処理装置２のカード搬送路の上部２２と、第２シャッタ１２の斜線部１２ｂ及び第２シャッタ１２の斜視図を示す。図１５に示すように、カード搬送路の上部２２には、２〜３ｍｍ幅の隙間を約５ｍｍのピッチでカード幅方向に連続して配置している。また、斜線部１２ｂには、カード搬送路の上部２２に設けられた隙間に入り込む突起がカード幅方向に連続して配置されている。このような構成とすることにより、カードトラップ２１の侵入をより効果的に防ぐことが可能となる。
【００５３】
本実施の形態においても、第１の実施の形態と同様に、カード搬送ローラを２対にして、第１ローラ６ａと第２ローラ６ｂとの間に磁気ヘッド７を配置し、第１ローラの前方に第１シャッタ９及び第２シャッタ１２を配置するという構成にしている。このように、カード処理の機能を確実に発揮するように、２つのカード搬送ローラ及び２つのシャッタを効果的に配置することにより、処理装置の全長を短くして処理装置全体のコストを削減することができる。さらに、第２シャッタ１２の斜線部１２ｂを独立して動作させる構成とすることにより、悪意のユーザーがデンタルフロス状の細くかつ頑丈な糸状のカードトラップ２１をカード処理装置２の内部に仕掛けたことを検知して、カード処理の安全性を確保することができる。
【符号の説明】
【００５４】
１    カード
２    カード処置装置
３    カード挿入口
４    磁気ストライプ検知ヘッド
５    シャッタ
６    カード搬送ローラ
７    リード・ライト用磁気ヘッド
８    ＩＣ接点
９    第１シャッタ
１０    第１シャッタストッパ
１１    第１シャッタばね
１２    第２シャッタ
１３    第２シャッタストッパ
１４    第２シャッタばね
１５    シャッタストッパ
１６    ソレノイド
１７    リンク
１８    ソレノイド戻しバネ
１９    リンクバネ
２０    リンク戻しバネ
２１    カードトラップ
２２    カード搬送路の上部
【図１】
2015181875.tif 000003
【図２】
2015181875.tif 000004
【図３】
2015181875.tif 000005
【図４】
2015181875.tif 000006
【図５】
2015181875.tif 000007
【図６】
2015181875.tif 000008
【図７】
2015181875.tif 000009
【図８】
2015181875.tif 000010
【図９】
2015181875.tif 000011
【図１０】
2015181875.tif 000012
【図１１】
2015181875.tif 000013
【図１２】
2015181875.tif 000014
【図１３】
2015181875.tif 000015
【図１４】
2015181875.tif 000016
【図１５】
2015181875.tif 000017
【図１６】
2015181875.tif 000018
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
カードを搬送する２対のローラと、
カード挿入口付近に設けられた第１のシャッタと、
前記第１のシャッタよりカード処理装置の内部側に設けられた第２のシャッタと、
前記第１のシャッタ及び前記第２のシャッタの下方に設けられた１つのシャッタストッパと、
を備え、
前記シャッタストッパは、１つのアクチュエータの制御により左右に移動して、前記第１のシャッタ及び前記第２のシャッタの動作を規制し、
前記第１のシャッタ及び前記第２のシャッタは、前記カードが通過する際の押圧力により開状態となり、前記２対のローラによる該カードの移動に応じて開状態から閉状態または閉状態から開状態に状態を遷移させる
ことを特徴とする、カード処理装置。
【請求項２】
前記カードが挿入される前は、前記第１シャッタを開状態、前記第２シャッタを閉状態とし、挿入された該カードが正当なカードである場合には、前記第２シャッタを開状態とし、
前記カードが前記２対のローラにより前記カード処理装置の内部に挿入されて該カードのリードライト処理を実行する場合には、前記第１シャッタを閉状態とし、
前記カードが前記２対のローラにより前記カード挿入口付近に移動して該カードの磁気データをリードする場合には、前記第１シャッタを閉状態のまま前記第２シャッタを開状態とする、
ことを特徴とする、請求項１に記載のカード処理装置。
【請求項３】
（削除）
【請求項４】
（削除）
【請求項５】
（削除）
【請求項６】
（削除）
【請求項７】
前記シャッタストッパは、
両端部に前記第１のシャッタ及び前記第２のシャッタの下部と接する突起部を有し、
該突起部が前記第１のシャッタまたは前記第２のシャッタの下部に接する位置に移動した場合に、前記第１のシャッタまたは前記第２のシャッタを閉状態として開状態の動作を規制する、
ことを特徴とする、請求項１または２のいずれかに記載のカード処理装置。
【請求項８】
カードを搬送する２対のローラと、
カード挿入口付近に設けられた第１のシャッタと、
前記第１のシャッタよりカード処理装置の内部側に設けられた第２のシャッタと、
を備え、
前記第１のシャッタ及び前記第２のシャッタは、前記カードが通過する際の押圧力により開状態となり、前記２対のローラによる該カードの移動に応じて開状態から閉状態または閉状態から開状態に状態を遷移させ、
前記第２のシャッタの一部を、前記第２のシャッタの閉状態から開状態への動作とは別に動作する板バネとし、
カード挿入口から糸状のカードトラップが挿入された場合に、前記第２のシャッタの動作と前記板バネの動作のずれを検知する
ことを特徴とする、カード処理装置。
【請求項９】
前記カードが挿入される前は、前記第１シャッタを開状態、前記第２シャッタを閉状態とし、挿入された該カードが正当なカードである場合には、前記第２シャッタを開状態とし、
前記カードが前記２対のローラにより前記カード処理装置の内部に挿入されて該カードのリードライト処理を実行する場合には、前記第１シャッタを閉状態とし、
前記カードが前記２対のローラにより前記カード挿入口付近に移動して該カードの磁気データをリードする場合には、前記第１シャッタを閉状態のまま前記第２シャッタを開状態とする、
ことを特徴とする、請求項８に記載のカード処理装置。
【国際調査報告】
2015181875.tif 000019
2015181875.tif 000020
2015181875.tif 000021
2015181875.tif 000022